(57)【要約】【課題】表示ムラの発生を防止して、表示品質を向上させることができる液晶表示装置を提供する。【解決手段】液晶パネルと、該液晶パネルの表示面側に配置される金属フレームと、該液晶パネルの背面側に配置されるバックライトユニットおよび放熱板を少なくとも備えている液晶表示装置であって、前記バックライトユニットのリフレクタの端部に前記液晶パネルの温度上昇を抑えるための放熱部が形成されている。【選択図】図１
2005043811.tif 000002
【特許請求の範囲】
【請求項１】
液晶パネルと、該液晶パネルの表示面側に配置される金属フレームと、該液晶パネルの背面側に配置されるバックライトユニットおよび放熱板を少なくとも備えている液晶表示装置であって、前記バックライトユニットのリフレクタの端部に前記液晶パネルの温度上昇を抑えるための放熱部が形成されてなる液晶表示装置。
【請求項２】
前記放熱部が前記バックライトユニットの電極部近傍のリフレクタの端部を延長させた延長部であり、該延長部を前記金属フレームまたは放熱板に接触させてなる請求項１記載の液晶表示装置。
【請求項３】
前記延長部の少なくとも一部に略Ｕ字状を呈する部分が設けられてなる請求項２記載の液晶表示装置。
【請求項４】
前記延長部に冷却フィンが設けられてなる請求項２または３記載の液晶表示装置。
【発明の詳細な説明】
【技術分野】
【０００１】
本発明は液晶表示装置に関する。さらに詳しくは、表示ムラの発生を防止して、表示品質を向上させることができる液晶表示装置に関する。
【背景技術】
【０００２】
従来より、光源からの光を液晶パネルの背面より照射する液晶表示装置として、たとえば筐体と、蛍光管（冷陰極管）と、該冷陰極管に沿って開口し、発光を照射する断面がほぼコ字状のリフレクタと、前記冷陰極管を介してリフレクタに対向配置され、一定の方向に照射された発光を導光する導光板と、該導光板の上面に配置され、該導光板から放射する光を背面光とする液晶パネルと、前記導光板の下面に配置される反射板とから構成されるものがある。このような液晶表示装置では、冷陰極管からの発熱に起因して、たとえば冷陰極管の発光効率を良好な状態に維持することができないという問題や発光輝度が制約されるという問題がある。
【０００３】
かかる問題を解決する液晶表示装置として、たとえば特許文献１記載の液晶表示装置では、リフレクタの蛍光管の発光部を包囲する部分と、前記リフレクタの前記蛍光管の電極部を包囲する部分とのあいだに段差部が設けられ、前記蛍光管の電極部と前記リフレクタとのあいだの距離が前記蛍光管の発光部と前記リフレクタとのあいだの距離より小さくして、電極部の発熱がリフレクタに伝わりやすくすることで、電極部の発熱をリフレクタから放熱させるようにしている。また、特許文献２記載の液晶表示装置では、リフレクタの背面側全体を凹凸状に加工（粗面化）してリフレクタの放熱面積を増し、そこから放熱させるようにしている。
【０００４】
【特許文献１】特開２００３−４３４８４号公報（[００５８]〜[００６６]、図１１〜１４)
【特許文献２】特開２００１−２７７５７号公報（[００１５]〜[００２１]、図１)
【発明の開示】
【発明が解決しようとする課題】
【０００５】
液晶表示装置では、表示品質を向上させるために高輝度の冷陰極管を使用する必要があるが、高輝度の冷陰極管は、発熱量が大きいため、液晶パネルの温度が上昇し、表示ムラの原因となる。
【０００６】
従来の液晶表示装置では、リフレクタ自身による放熱により冷陰極管を冷却する方式であり、このリフレクタだけでは放熱面積が充分に大きく取れないので、冷陰極管からの発熱量が大きくなると充分な放熱ができなくなり、表示ムラが発生しやすくなる。
【０００７】
本発明は、叙上の事情に鑑み、表示ムラの発生を防止して、表示品質を向上させることができる液晶表示装置を提供することを目的とする。
【課題を解決するための手段】
【０００８】
本発明の液晶表示装置は、液晶パネルと、該液晶パネルの表示面側に配置される金属フレームと、該液晶パネルの背面側に配置されるバックライトユニットおよび放熱板を少なくとも備えている液晶表示装置であって、前記バックライトユニットのリフレクタの端部に前記液晶パネルの温度上昇を抑えるための放熱部が形成されてなることを特徴とする。
【発明の効果】
【０００９】
本発明によれば、リフレクタを金属フレームに接触させることにより、金属フレームを放熱板として利用でき、充分な放熱面積を確保することができるため、発熱量の大きい電極部の放熱がしやすくなる。これにより、液晶パネルの温度上昇を抑えて、表示ムラの発生を防止し、表示品質を向上させることができる。
【発明を実施するための最良の形態】
【００１０】
以下、添付図面に基づいて本発明の液晶表示装置を説明する。
【００１１】
図１〜３に示されるように、本発明の一実施の形態にかかわる液晶表示装置は、表示面側の金属フレーム１、液晶表示素子、樹脂フレーム２、バックライトユニット３および放熱板４を順次積層して構成されている。
【００１２】
前記液晶表示素子として、本発明においては、とくに限定されるものではないが、たとえば液晶パネル５、および該液晶パネル５の前後両面に配設された偏光板（図示せず）などから構成されるものを用いることができる。液晶パネル５は、一般的には、２枚の透明基板、すなわち、対向面にスイッチング素子となる薄膜トランジスタ（以下、ＴＦＴという）および画素電極が配線とともに形成されたＴＦＴアレイ基板、および対向面に対向電極が形成された対向基板を備えている。前記２枚の基板の対向面には液晶パネル５の液晶に初期配向をもたせる配向膜が形成され、前記対向基板の対向面またはその反対側の面に着色層および遮光層が形成され、これら２枚の基板がスペーサを介して等間隔に保持された状態で、液晶注入口以外の全周にわたってシール材によって貼り合わされ、これら２枚の基板のあいだに液晶を注入したのち、液晶注入口が封止材によって封止されることにより液晶パネルが作製される。
【００１３】
また、液晶表示素子を駆動する回路基板（図示せず）をさらに備えている。
【００１４】
前記バックライトユニット３は、少なくとも冷陰極管６、当該冷陰極管６の発光を照射する、断面がほぼコ字状のリフレクタ７、および前記冷陰極管６を介してリフレクタ７に対向配置され、照射された発光を一定の方向に導光する導光板８から構成されている。前記リフレクタ７には、側部７ａの端部（前記冷陰極管６の電極部６ａの近傍部分）から前記金属フレーム１の側部９の側面９ａまでＬ字状に延びる、放熱部である延長部１０が一体に形成されている。本実施の形態では、この延長部１０は、図２に示されるように、前記金属フレーム１の側面９ａに接触させているが、本発明においては、延長部１０の下端１０ａを突出させて放熱板４にも接触させることができる。
【００１５】
リフレクタ７の材質については、本発明においてはとくに限定されるものではないが、たとえば熱伝導率が高く、加工しやすい材料としてアルミニウムまたはアルミニウム合金などで作製されるのが好ましい。
【００１６】
また、本発明の液晶表示装置の他の実施の形態として、図４に示されるように、前記延長部１０の基部１１の少なくとも一部にＵ字状を呈する部分１２を形成すれば、このＵ字状部分１２の弾性により振動を緩和して、リフレクタ７を弾性保持させることもできる。
【００１７】
さらに、本発明の液晶表示装置のさらに他の実施の形態として、図５に示されるように、前記延長部１０のたとえば内側面に複数枚の冷却フィン１３を設けてもよく、これにより放熱効果を向上させることができる。冷却フィン１３は、たとえば、リフレクタとともにアルミニウムなどの熱伝導率の高い金属を用いて一体成形するなどして作製することができる。冷却フィン１３の寸法は、とくに限定されるものではないが、たとえばフィンの高さが１〜２ｍｍ程度、隣接する２枚のフィンの間隔が１〜３ｍｍ程度であり、またフィンの枚数はそれぞれの延長部ごとに通常５〜１０枚程度設けられる。
【００１８】
本実施の形態では、冷陰極管６で発生した熱がリフレクタ７および延長部１０に伝わるとともに、該延長部１０を介して表示面側の金属フレーム１に伝わる。これにより、金属フレーム１を放熱板として利用できるため、高輝度の冷陰極管を使用した場合においても充分な放熱面積を確保し、冷陰極管６の電極部６ａの放熱をしやすくすることができる。したがって、液晶パネルに伝わる熱量を減少させて、液晶パネルの温度上昇を抑えることができる。その結果、表示ムラが発生しなくなり、表示品質を向上させることができる。
【００１９】
なお、本実施の形態では、前記延長部１０がリフレクタ７に一体に形成されているが、本発明においては、別体として作製される延長部をリフレクタに固着させることができる。また、前記延長部１０の形成部位や形状は、適宜選定することができる。たとえば本実施の形態では、延長部１０がリフレクタ７の側部７ａに形成されているが、本発明においては、リフレクタ７の側部７ａ、底部７ｂおよび上部７ｃのいずれか１箇所、または２箇所以上に形成することができる。延長部をリフレクタ７の上部７ｃの端部に形成する場合、かかる延長部は金属フレーム１の上部１５の側面１５ａおよび側部９の側面９ａに接触させることができる。
【００２０】
さらに、本発明の液晶表示装置のさらに他の実施の形態として、図６に示されるように、延長部１４をリフレクタ７の底部７ｂの端部に形成する場合、延長部１４の形状を先端部が上を向くＬ字状を呈するようにすると、延長部１４は放熱板４および金属フレーム１に接触させることができる。一方、延長部１４の形状を平板状とし放熱板４のみに接触させることもできる。
【００２１】
このように本発明における延長部は、形状および寸法を適宜選定することにより、金属フレームおよび／または放熱板に接触させることができる。
【図面の簡単な説明】
【００２２】
【図１】本発明の実施の形態にかかわる液晶表示装置を示す分解斜視図である。
【図２】図１の要部断面図である。
【図３】図１のリフレクタの斜視図である。
【図４】本発明の液晶表示装置の他の実施の形態における延長部の基部にＵ字状部分が形成されたリフレクタの要部拡大斜視図である。
【図５】本発明の液晶表示装置のさらに他の実施の形態における延長部に冷却フィンが形成されたリフレクタの要部拡大斜視図である。
【図６】本発明の液晶表示装置の他の実施の形態におけるリフレクタの底部の端部に延長部が形成されたリフレクタの要部拡大斜視図である。
【符号の説明】
【００２３】
１  金属フレーム、２  樹脂フレーム、３  バックライトユニット、４  放熱板、
５  液晶パネル、６  冷陰極管、６ａ  電極部、７  リフレクタ、７ａ，９  側部、
７ｂ  底部、７ｃ，１５  上部、８  導光板、９ａ，１５ａ  側面、１０，１４  延長部、１０ａ  下端、１１  基部、１２  Ｕ字状部分、１３  冷却フィン。
【図１】
2005043811.tif 000003
【図２】
2005043811.tif 000004
【図３】
2005043811.tif 000005
【図４】
2005043811.tif 000006
【図５】
2005043811.tif 000007
【図６】
2005043811.tif 000008